(57)【要約】      （修正有）【課題】より広大なアマモ場の再生事業を現実的に可能ならしめる手段を提供する。【解決手段】アマモ種子Ａを安定的に挟持できる隙間１ａを、海底に沈降する海の生態系に無害なコンパクト担体１の外側に形成して、これをアマモ種子の挟持担体とする。そのコンパクト担体は原則として素焼状セラミックス成型体とするか、或いは高比重に調整した生分解型有機物と鉱物粉末との混合物から成る成型体とする。そのコンパクト担体の具体的形状は、全体形状が逆円錐状であって、上部がミニ椀状を呈し、下端にアマモ種子を挟持するに足る隙間を有するものとする。或いは全体形状がリング状であって、これを形成する周壁の厚みが上方から下方にかけて徐々に薄くなっており，その下端部にアマモ種子を挟持するに足る隙間を有するものとするか、全体形状が略リング状であって、その一部がアマモ種子を挟持するに足る隙間を有する形で分離しているようにする。【選択図】図１
2020089347.tif 000002
【特許請求の範囲】
【請求項１】
アマモ種子を安定的に挟持できる隙間を、海底に沈降する海の生態系に無害なコンパクト担体の外側に形成して成ることを特徴とするアマモ種子挟持担体。
【請求項２】
コンパクト担体が、素焼状セラミックス成型体である請求項１記載のアマモ種子挟持担体。
【請求項３】
コンパクト担体が、高比重に調整した生分解型有機物と鉱物粉末との混合物から成る成型体である請求項１記載のアマモ種子挟持担体。
【請求項４】
コンパクト担体が、その全体形状が逆円錐状であって、上部がミニ椀状を呈し、下端にアマモ種子を挟持するに足る隙間を有する請求項１，２，３記載のアマモ種子挟持担体。
【請求項５】
コンパクト担体が、その全体形状がリング状であって、これを形成する周壁の厚みが上方から下方にかけて徐々に薄くなっており，その下端部にアマモ種子を挟持するに足る隙間を有する請求項１，２，３記載のアマモ種子挟持担体。
【請求項６】
コンパクト担体が、その全体形状が略リング状であって、その一部がアマモ種子を挟持するに足る隙間を有する形で分離している請求項１，２，３記載のアマモ種子挟持担体。
【請求項７】
コンパクト担体が、低比重の棒状芯材と高比重の略リング体より成り、棒状芯材は上方から下方にかけて徐々に細くなるとともにその下端部にアマモ種子を挟持するに足る隙間を有し、略リング体は棒状芯材の下方部に取り付けた請求項１，２，３記載のアマモ種子挟持担体。
【発明の詳細な説明】
【技術分野】
【０００１】この発明は、アマモ場を播（蒔）種方式により形成させる際に用いられるアマモ種子挟持担体に関する。
【背景技術】
【０００２】海洋の浅瀬に生育するアマモは、コンブやワカメ等の海藻類と異なり種子から発芽する海草類に属しており、それが群生するアマモ場はサンゴ礁と並んで海のゆりかごとも言われ、魚介類の生態系維持においてきわめて重要な役割を担っていて、生物の相互依存による共生と生物多様性の維持機能を果たしていると共に、排水汚染等による海水富栄養化などに対する水質浄化機能、海底基盤を安定化させ、沖からの波浪を弱め漂砂などを抑制することにより大切な干潟や砂浜の縮小を防止するなどの底質安定化機能や、葉に共生する植物性プランクトンと共に高効率の光合成によるＣＯ２吸収など、地球環境改善においてその役割には絶大なものがある。【０００３】ところが高度成長期以降において沿岸部に人口が集中し大量の生活排水が海へ流入するとともに、沿岸域では埋立や海岸のコンクリート化により自然環境が変化もしくは消失し、開発と工業化により海の水質汚濁化など環境の悪化が進行した結果、アマモ場は全国的に激減し、伊勢湾など地域によっては１／１００以下になってしまったところもある。【０００４】そこで産業活動を原因とする公害問題は国や自治体の規制や事業者の努力により収束傾向に向かったものの、加害者と被害者がはっきりしない環境問題に対処するためには、予防的な対応あるいは環境管理へと環境政策が方向転換し、自治体や民間企業でアマモ場再生の研究が進められるようになった。【０００５】その結果、今日に至るまで様々なアマモ場再生の具体的手段の提案や試みが各方面でなされてきている。例えば、マットやシートの中に種子（を埋め込んだ土）を封入して海底に設置する方法、種子が浮上しないようにゲル化したコロイダルシリカに種子を混入して蒔いたり、種子を埋め込んだ土を水分解性ガーゼで包んだ土団子を蒔くなどの播（蒔）種方法、陸上で発芽させたアマモ苗や小石結着させたもの、或いは竹串や粘土でアマモの地下茎を固定したものを海底に移植する方法等である。【０００６】近時は藻場造成を有利に実現し得るとして、独特な構造のコンクリートブロックも提案されている。
【特許文献１】特開２００５−２２４２１７号広報
【発明の開示】
【発明が解決しようとする課題】
【０００７】このような現状において、未だにさほど成果が上がっていないのはそれなりの理由がある。先ず第一に海はあまりに広大な自然環境であり、日本の海岸域において海草や海藻が生育できる水深２０ｍ以浅の海域面積は約３，０８８，０００ｈａであってこのうち海草及び海藻の分布範囲は僅か６．５％（１９９１年）にすぎないが、それでも２０１，２１２ｈａ（２，０１２，１２０，０００ｍ２）に及ぶ。仮に１ｍ２あたり数個の種又は苗を着床するにしても、その作業手間やコストはとてつもないものになってしまう。【０００８】第二に、マットやシート或いはコンクリートなどアルカリ性の強いものは海の自然環境にとって有害であるが、これを除去したり中和することは容易でない。【０００９】第三に、種子の埋まった土砂類を海底に設置する際に舞い上がる微粒子が海水を長期間濁らせて日光を遮るため、アマモの生育にとって不利となることである。【００１０】またアマモの種子は、長径約２ｍｍ，短径約１ｍｍ，比重約１．２のゴマ粒状体であるが、かなりデリケートで、自然の海底環境では泥を少し含む砂地に僅かに埋まる状態で僅かに酸欠状態になったときに適した温度やＰＨ、光量などを感知して発芽し、しかもそのときに比重が減少して浮上・浮遊してしまうから、ただ種子を海に撒いたり引例に掲げたようなコンクリートブロックを沈める方法や、埋設土を海底に敷設する方法等では、未だにほとんど大きな成果があがっていない。【００１１】本発明はかかる現状を打破して、より広大なアマモ場の再生事業を現実的に可能ならしめる手段を提供することを課題とする。
【課題を解決するための手段】
【００１２】先ず基本的な前提として、広大な海底環境や水中生物の生存環境を損なわないような素材を選定する必要がある。そこで好ましいのは土から作り所定期間は耐久性と成型性があり、所定期間後は自然崩壊して土に戻るような低コスト（素焼状の）セラミックスである。【００１３】具体的には、アマモ種子Ａを安定的に挟持できる隙間１ａを、海底に沈降する海の生態系に無害なコンパクト担体１の外側に形成して、これをアマモ種子の挟持担体とする。そのコンパクト担体１は原則として素焼状セラミックス成型体とするか、或いは高比重に調整した生分解型有機物と鉱物粉末との混合物から成る成型体とする。【００１４】またそのコンパクト担体１の具体的形状は、図１に示すように、その全体形状が逆円錐状であって、上部がミニ椀状を呈し、下端にアマモ種子Ａを挟持するに足る隙間１ａを有するものとする。【００１５】コンパクト担体１の別形態としては、図２に示すように、その全体形状がリング状であって、これを形成する周壁の厚みが上方から下方にかけて徐々に薄くなっており，その下端部にアマモ種子Ａを挟持するに足る隙間１ａを有するものを挙げることができる。【００１６】コンパクト担体の更に別形態として、図３に示すように、その全体形状が略リング状であって、その一部がアマモ種子Ａを挟持するに足る隙間１ａを有する形で分離しているものを挙げることができる。【００１７】或いは更に別の形態として、図４に示すように、コンパクト担体１が、低比重の棒状芯材２と高比重の略リング体３より成り、棒状芯材２は上方から下方にかけて徐々に細くなるとともにその下端部にアマモ種子Ａを挟持するに足る隙間１ａを有し、略リング体３は棒状芯材２の下方部に取り付けたものを挙げることができる。この場合も、コンパクト担体１に使用される棒状芯材２の材質は例えば割箸のような木材、略リング体３はセラミックスのように、環境や生態系を損なわないものにすることは勿論である。
【発明の効果】
【００１８】本発明のアマモ種子挟持担体は、アマモ種子Ａを押し込んで挟むことのできる隙間１ａを有するコンパクト担体１であって、これが例えば図１のような形状であれば、これを海中に投入すると、沈降中に逆円錐状に広がったミニ椀状の側が上方に、細まった種子Ａ付き隙間１ａの側が下方になって海底の砂地に突き刺さり、発芽に適した形で植種でき、発芽後も浮上することなく、また茎の成長を妨げず、更に海水を濁らせて光量不足になることがなく、長期的にはその担体１は自然崩壊して静かに土に戻り、環境汚染の懸念がない。【００１９】また図２のような形状の場合は、これをランダムに海中に投入すれば、アマモ種子Ａを挟持する隙間１ａの有る側が薄くなっているので、こちらを下方にして海底砂地に着床する確率が高いが、これを１００％確実にするために、このリング状のコンパクト担体１を隙間１ａと種子Ａのある側が下になるように竿状体に通して落下させることもできる。なお図３の場合は隙間１ａの上下位置分けをしていないから、海底に着地しても種子Ａが砂地に常に埋まるわけではないもののリングの水平状態で安定して動きにくく、発芽して軽くなった種子の浮上を防ぎ、茎が上下方向に伸長するのを全く妨げないメリットがある。更に図４の場合も、海中における重心がＡ付き１ａ側に片寄るので、図１の場合同様の作用・効果がある。【００２０】このように本発明のアマモ種子挟持担体を用いれば、従来とは桁違いの大面積のアマモ場形成を桁違いのコスト負担や労力で海水を濁らせることなく実現できるという効果がある。
【発明を実施するための形態】
【００２１】図１のような逆円錐型のコンパクト担体１の寸法は、例えば上下長約３０ｍｍ、上端直径約１３ｍｍ、下端直径４〜５ｍｍとし、上半部は内部をくりぬいて椀状にし、下端には幅１ｍｍ、深さ１ｍｍ強の溝を形成する。これを粘土系の素材で成型して約６００℃で素焼状に焼成する。
【００２２】コンパクト担体１がリング体である場合も特に寸法を限定しないが、概ね原寸大で図示したようなものも含む直径１０〜５０ｍｍ、高さ５〜２０ｍｍ、隙間は１〜２ｍｍ程度とする。
【００２３】図４の場合は例えば割箸を半分に切断したものの先端を嘴状に加工し、それの細い側から比重の大きなセラミックス製リング体もしくは円筒体を重しとして中途以内まで差し込む形とする。
【産業上の利用可能性】
【００２４】本発明のアマモ趣旨挟持担体は無害かつ無尽蔵にある資源を用いて低コストに量産でき、これを近海の浅瀬に散布するのみで広大な面積の実施にも対応できて、それが海浜の生態系や環境改善に大きく貢献し、その社会的ニーズは甚だ大であるから、産業上の利用可能性は十分にあるといえる。
【図面の簡単な説明】
【００２５】
【図１】本発明一例の見取図
【図２】本発明別例の見取図
【図３】本発明別例の見取図
【図４】本発明別例の見取図
【符号の説明】
【００２６】  １……コンパクト担体
１ａ……隙間
２……棒状芯材
３……略リング体
Ａ……アマモ種子
【図１】
2020089347.tif 000003
【図２】
2020089347.tif 000004
【図３】
2020089347.tif 000005
【図４】
2020089347.tif 000006